(57)【要約】【課題】  画像処理のパラメータの設定を撮影者の負荷なく行える画像処理装置および画像処理プログラムを提供する。【解決手段】  外部の撮像装置２０で生成された撮影画像データおよび該撮影画像データに付加された撮影者の識別情報（例えば個人認証情報）を取り込む取込手段１１と、撮影画像データに付加された識別情報に基づいて、該撮影画像データに対する画像処理のパラメータを設定する設定手段１２と、設定手段によって設定されたパラメータにしたがって、撮影画像データに対する画像処理１４を行う処理手段とを備える。【選択図】      図１
2006262155.tif 000002
【特許請求の範囲】
【請求項１】
外部の撮像装置で生成された撮影画像データおよび該撮影画像データに付加された撮影者の識別情報を取り込む取込手段と、
前記撮影画像データに付加された前記識別情報に基づいて、該撮影画像データに対する画像処理のパラメータを設定する設定手段と、
前記設定手段によって設定された前記パラメータにしたがって、前記撮影画像データに対する画像処理を行う処理手段とを備えた
ことを特徴とする画像処理装置。
【請求項２】
請求項１に記載の画像処理装置において、
前記識別情報に対応する情報と予め定めた前記パラメータとを対応づけて登録する登録手段を備え、
前記設定手段は、前記撮影画像データに付加された前記識別情報に基づいて、前記登録手段による登録内容を参照し、前記識別情報に対応する情報と対応づけて登録された前記パラメータを設定する
ことを特徴とする画像処理装置。
【請求項３】
請求項１または請求項２に記載の画像処理装置において、
前記撮像画像データに付加された前記識別情報は、撮影者の生体情報に基づく個人認証の情報である
ことを特徴とする画像処理装置。
【請求項４】
請求項１から請求項３の何れか１項に記載の画像処理装置において、
前記撮像画像データには、前記識別情報が電子透かしによって付加される
ことを特徴とする画像処理装置。
【請求項５】
請求項１から請求項３の何れか１項に記載の画像処理装置において、
前記撮影画像データには、前記識別情報がメタデータとして付加される
ことを特徴とする画像処理装置。
【請求項６】
請求項２に記載の画像処理装置において、
前記取込手段は、さらに、前記撮影画像データに付加された、前記撮像装置でなされた画像処理の処理内容に関する情報を抽出し、
前記設定手段は、抽出された前記処理内容に関する情報に基づいて、前記識別情報に対応する情報と対応づけて登録された前記パラメータを変更して設定する
ことを特徴とする画像処理装置。
【請求項７】
外部の撮像装置で生成された撮影画像データおよび該撮影画像データに付加された撮影者の識別情報を取り込む取込手順と、
前記撮影画像データに付加された前記識別情報に基づいて、該撮影画像データに対する画像処理のパラメータを設定する設定手順と、
前記設定手段によって設定された前記パラメータにしたがって、前記撮影画像データに対する画像処理を行う処理手順と
をコンピュータに実行させるための画像処理プログラム。                                                                               
【発明の詳細な説明】
【技術分野】
【０００１】
本発明は、撮影画像データに対して画像処理を行う画像処理装置および画像処理プログラムに関する。
【背景技術】
【０００２】
近年のデジタル技術の進歩によって撮影者自らが撮影〜画像処理装置での画像処理（編集）〜画像出力を自分で行うことにより、出力画像に撮影者の嗜好を反映させることのできる環境が整いつつあり、また、その要求も強くなってきている。このような画像取得・加工の１つの形態として、デジタルカメラなどの撮像装置で生成された撮影画像データを例えばコンピュータに取り込み、コンピュータ上のアプリケーションソフトを用いて、撮影画像データの画像処理を行うことが考えられる。このような画像処理には、撮像装置のハード的な制約から撮像装置内では不可能な処理、作品として撮影者の嗜好に合わせるための処理、撮影時間や条件などに起因して不具合となった部分の修正処理などがある。例えば、輪郭強調(シャープネス),階調変換(トーン調整),色彩調整,ノイズ除去,フィルタリングなどが一般的である。また、画像処理のパラメータは、処理項目ごとに多数あり、画像処理の前にコンピュータの入力装置からそれぞれ任意に設定可能である（例えば特許文献１を参照）。そして設定されたパラメータの組み合わせに応じて所望の画像処理を撮影画像データに施すことができる。
【特許文献１】特開２００２−３３０３８８号公報
【発明の開示】
【発明が解決しようとする課題】
【０００３】
しかし、画像処理のパラメータを設定する作業は、その設定項目が多いため非常に煩雑であった。また、撮影者（オペレータ）が決まって使用する固定のパラメータも多いが、そのようなパラメータであっても、例えばアプリケーションソフトを立ち上げる毎に設定しなければならず、非常に面倒であった。また、複数の撮影者で１つのアプリケーションソフトを共用する場合、交代する毎に、自分用のパラメータに設定し直さなければならず、非常に面倒であった。この煩雑さを低減するために、パラメータ設定をバッチ処理として保存することも提案されているが、それを選択する手間は必要となってしまう。
【０００４】
本発明の目的は、画像処理のパラメータの設定を撮影者の負荷なく行える画像処理装置および画像処理プログラムを提供することにある。
【課題を解決するための手段】
【０００５】
請求項１に記載の画像処理装置は、外部の撮像装置で生成された撮影画像データおよび該撮影画像データに付加された撮影者の識別情報を取り込む取込手段と、前記撮影画像データに付加された前記識別情報に基づいて、該撮影画像データに対する画像処理のパラメータを設定する設定手段と、前記設定手段によって設定された前記パラメータにしたがって、前記撮影画像データに対する画像処理を行う処理手段とを備えたものである。
【０００６】
請求項２に記載の発明は、請求項１に記載の画像処理装置において、前記識別情報に対応する情報と予め定めた前記パラメータとを対応づけて登録する登録手段を備え、前記設定手段は、前記撮影画像データに付加された前記識別情報に基づいて、前記登録手段による登録内容を参照し、前記識別情報に対応する情報と対応づけて登録された前記パラメータを設定するものである。
【０００７】
請求項３に記載の発明は、請求項１または請求項２に記載の画像処理装置において、前記撮像画像データに付加された前記識別情報は、撮影者の生体情報に基づく個人認証の情報である。
請求項４に記載の発明は、請求項１から請求項３の何れか１項に記載の画像処理装置において、前記撮像画像データには、前記識別情報が電子透かしによって付加されるものである。
【０００８】
請求項５に記載の発明は、請求項１から請求項３の何れか１項に記載の画像処理装置において、前記撮影画像データには、前記識別情報がメタデータとして付加されるものである。
請求項６に記載の発明は、請求項２に記載の画像処理装置において、前記取込手段は、さらに、前記撮影画像データに付加された、前記撮像装置でなされた画像処理の処理内容に関する情報を抽出し、前記設定手段は、抽出された前記処理内容に関する情報に基づいて、前記識別情報に対応する情報と対応づけて登録された前記パラメータを変更して設定するものである。
【０００９】
請求項７に記載の画像処理プログラムは、外部の撮像装置で生成された撮影画像データおよび該撮影画像データに付加された撮影者の識別情報を取り込む取込手順と、前記撮影画像データに付加された前記識別情報に基づいて、該撮影画像データに対する画像処理のパラメータを設定する設定手順と、前記設定手段によって設定された前記パラメータにしたがって、前記撮影画像データに対する画像処理を行う処理手順とをコンピュータに実行させるためのものである。
【発明の効果】
【００１０】
本発明の画像処理装置および画像処理プログラムによれば、画像処理のパラメータの設定を撮影者の負荷なく行うことができる。
【発明を実施するための最良の形態】
【００１１】
以下、図面を用いて本発明の実施形態を詳細に説明する。
本実施形態の画像処理装置１０は、図１に示す通り、外部の撮像装置２０で生成された撮影画像データを取り込み、この撮影画像データに対して所望の画像処理を行う装置である。画像処理装置１０における処理手順を、図２,図３のフローチャートに示す。画像処理装置１０は、例えば、画像処理プログラム（図２,図３）がインストールされた汎用のコンピュータである。汎用のコンピュータには、CD-ROMなどの記録媒体１５に記録された画像処理プログラムをインストールすれば良い。または、インターネットを介してダウンロードされた画像処理プログラムをインストールしても良い。
【００１２】
本実施形態の画像処理装置１０について具体的に説明する前に、撮像装置２０の説明を行う。撮像装置２０は、デジタルカメラやデジタルビデオカメラなどである。
図４に示す通り、撮像装置２０には、撮影レンズ２１と、撮像素子２２と、アナログ処理部(回路)２３と、Ａ/Ｄ変換器２４と、デジタル処理部(回路)２５と、認証部(回路)(２６〜２８)と、記録制御部(回路)２９とが設けられる。また、記録制御部２９には、記録媒体９Ａが接続される。記録媒体９Ａは、例えばコンパクトフラッシュ(登録商標)やスマートメディア(登録商標)などである。撮像素子２２は、例えばＣＣＤセンサやＣＭＯＳセンサなどである。
【００１３】
さらに、撮像装置２０には、図５(ａ),(ｂ)に示す通り、シャッター釦３１と、ファインダ３２と、液晶表示部３３と、選択キー３４と、マイク３５と、グリップ部３６とが設けられる。図５(ａ)は撮像装置２０を正面から見た図、図５(ｂ)は背面から見た図である。
被写体からの光は、撮影レンズ２１を介して撮像素子２２に入射する。撮像素子２２の撮像面には、被写体像が形成される。撮像素子２２は、被写体像を撮像してＲＧＢ３色のアナログ撮像信号を出力する。
【００１４】
このアナログ撮像信号は、アナログ処理部２３で相関二重サンプリング処理や直流再成処理などが行われ、Ａ/Ｄ変換部２４でデジタル信号(撮像データ)に変換される。デジタル処理部２５では、デジタル信号に対して階調補正,色補正,輪郭補正などの処理が行われ、撮影画像データとして記録制御部２９に出力される。
処理部(２３〜２５)における信号処理のパラメータ（輪郭強調の度合い,階調,色合い,感度,彩度など）は、撮影者の嗜好などにより、必要に応じて設定を変更できる。この際には、図５(ｂ)に示す選択キー３４が撮影者によって操作され、液晶表示部３３に表示される各種メニューの選択/決定が行われる。処理部(２３〜２５)では、設定変更の指示があれば変更後のパラメータを使用し、指示がない場合は予め定めたデフォルトのパラメータを使用して、信号処理を行う。
【００１５】
また、撮像装置２０は、デジタル処理部２５で処理が施されない撮影画像データ（ＲＡＷデータ）を、記録媒体９Ａに記録することもできる。
また、撮像装置２０の認証部(２６〜２８)は、センサ２６と、登録部２７と、ＣＰＵ２８とで構成される。
センサ２６は、撮影者の生体情報を取得するためのセンサである。生体情報とは、指紋,虹彩(網膜)パターン,声紋など、個人に特有な身体的特徴の情報である。これらの生体情報は、個人の加齢などによって変化せず、その判別も比較的容易なため、近年、バイオメトリクス個人認証に使用されている。
【００１６】
例えば、撮影者の生体情報として指紋を取得する場合には、センサ２６として半導体指紋センサを用い、図５(ａ)に示すシャッター釦３１またはグリップ部３６に設ければよい。半導体指紋センサをシャッター釦３１に設けた場合、撮影者がシャッター釦３１に指を載せる毎に、何ら意識することなく、その指紋（生体情報）を取得できる。
撮影者の生体情報として虹彩(網膜)パターンを取得する場合には、センサ２６として虹彩用の撮像センサを用い、図５(ｂ)に示すファインダ３２内に設ければよい。この場合、撮影者がファインダ部３２を覗き込む毎に、何ら意識することなく、その虹彩(網膜)パターン（生体情報）を取得できる。
【００１７】
撮影者の生体情報として声紋を取得する場合には、センサ２６として図５(ｂ)に示すマイク３５を用いればよい。この場合、撮影者がマイク３５に向かって発声したときに、その声紋（生体情報）を取得できる。
また、登録部２７はメモリで構成され、個人認証のために、予め取得された撮影者の生体情報（指紋など）が登録される。登録に当たっては、図５(ｂ)の選択キー３４を操作して液晶表示部３３の設定画面から生体情報登録モードに入り、センサ２６を用いて撮影者の生体情報を取得した後、氏名や認証コードなどの個人認証情報と共に保存する。センサ２６,登録部２７は、撮影者を特定する識別情報を取得する識別情報取得部として機能する。複数人で撮像装置２０を共用する場合には、複数人分の生体情報を登録可能とすることが好ましい。また、生体情報や個人認証情報の閲覧,変更は、例えば、閲覧・変更のためのパスワードを設ける、あるいは登録された生体情報を入力するなどして、登録本人または撮像装置２０の管理者のみに制限することが好ましい。
【００１８】
ＣＰＵ２８は、センサ２６によって取得された撮影者の生体情報（指紋など）と、登録部２７に予め登録された生体情報とを比較照合し、個人認証を行う。そして、登録部２７の中にセンサ２６からの生体情報と同等の生体情報が存在していた場合、その生体情報の個人認証情報（氏名や認証コードなどの登録データ）を記録制御部２９に出力する。
このような認証部(２６〜２８)における個人認証のタイミングは、被写体を撮影する際に限らず、撮像装置２０の電源の立ち上げ/立ち下げ時に行ってもよい。撮影動作とは別途に個人認証を行う場合には、撮像装置２０の内部で撮影処理と並行して照合処理を行う必要がないため、ＣＰＵなどへの負荷が軽減する。
【００１９】
また、撮影時に個人認証を行う場合でも、連続的に撮影が行われているときは、撮影者の交代はないと判断して個人認証を省略してもよい。この場合にもＣＰＵなどへの負荷を軽減できる。撮影者の交代の有無の判断には、例えば、撮影間隔を予め定めた閾値と比較し、撮影間隔が閾値以下であれば“交代なし”と判断するなどの方法が考えられる。
上記のようにして、処理部(回路)(２３〜２５)からの撮影画像データと、認証部(２６〜２８)からの個人認証情報（氏名や認証コードなど）とが、記録制御部２９に出力される。
【００２０】
記録制御部２９では、撮影画像データに個人認証情報をメタデータとして付加した後、撮影画像データと個人認証情報を記録媒体９Ａに保存する。さらに、必要に応じて、撮影制御に関わるパラメータ（撮影日時,露出,シャッター速度など）や、処理部(２３〜２５)における信号処理のパラメータなどを、メタデータとして付加して保存してもよい。
ただし、メタデータは、ビューワーなどの表示部によって容易に見ることができるものであり、改ざんもされ得るデータである。このため、撮影者を秘匿したい場合や、改ざんを阻止したい場合には、不図示の暗号化処理部を用いて個人認証情報を暗号化した後、メタデータとして付加することが好ましい。
【００２１】
さらに、個人認証情報（氏名や認証コードなど）を撮影画像データに付加するために、電子透かしによる埋め込みを行ってもよい。この場合、記録制御部２９内の電子透かし埋め込み部(回路)を用いて、撮影画像データに電子透かしとして個人認証情報を埋め込む。電子透かしによる情報付加は、秘匿性や耐改ざん性に優れているため、個人認証情報の保護や秘匿に対する要求が強い場合には、電子透かしを用いることが好ましい。
【００２２】
ただし、耐改ざん性を増して埋め込みデータ保護の度合いを強めると、一般に、画像劣化につながる傾向がある。このため、画質の確保を考えた場合、埋め込むデータは少なくすることが好ましい。つまり、個人認証情報のみを電子透かしによって付加し、その他のパラメータなどはメタデータとして付加することが好ましい。また、パラメータでも秘匿性,耐改ざん性を必要とする場合は、その限りではなく、電子透かしとして埋め込んでもよいし、暗号化してメタデータとして付加する構成としてもよい。
【００２３】
次に、本実施形態の画像処理装置１０について具体的に説明する。
画像処理装置１０は、図１に示す通り、取込部(回路)１１と、設定部(回路)１２と、登録部(回路)１３と、処理部(回路)１４とで構成される。画像処理装置１０には、外部の撮像装置２０で生成された撮影画像データ、および、この撮影画像データに付加された個人認証情報（撮影者の識別情報）や、撮影制御に関わるパラメータ、処理部(２３〜２５)における信号処理パラメータなどが、図４の記録媒体９Ａを介して取込部１１に取り込まれる。
【００２４】
そして、画像処理装置１０では、画像処理用のアプリケーションソフトを用い、図２,図３に示すフローチャートの手順にしたがって、個人認証情報から画像処理のパラメータを設定し、撮影画像データの画像処理を行う。ここでの画像処理には、輪郭強調(シャープネス),階調変換(トーン調整),色彩調整,ノイズ除去,フィルタリングなどがある。
画像処理のパラメータの設定を撮影者の負荷なく行うため、画像処理装置１０の登録部１３には、個人認証情報（氏名や認証コードなど）に対応する個別ＩＤと、撮影者の独自の予め定めたパラメータ（撮影者が決まって使用する固定のパラメータなど）とが、対応付けて登録される。ここでは個別ＩＤに対応づけて独自パラメータを登録する例で説明を行うが、個別ＩＤに代えて個人認証情報そのものを用いても構わない。
【００２５】
登録部１３に撮影者の独自パラメータを登録する手順は、図２のステップＳ１〜Ｓ４に示す通りである。ステップＳ１で独自パラメータの登録モードが選択されると（ステップＳ１がＹｅｓの場合）、次のステップＳ２では、登録を行いたい撮影者の個人認証情報、個別ＩＤが入力され、個人認証情報と個別ＩＤとが対応付けられる。そして次に（ステップＳ３）、画像処理の独自パラメータが入力される。その後、登録の指示に応じて、入力された個別ＩＤと独自パラメータが対応づけられ、登録部１３に登録される（ステップＳ４）。
【００２６】
このような図２の登録処理が終わり、外部の撮像装置２０から取り込まれた撮影画像データのうち、処理対象の撮影画像データが選択されると（図３のステップＳ１１がＹｅｓの場合）、画像処理装置１０の取込部１１では、その撮影画像データに個人認証情報が付加されているか否かを判断する（ステップＳ１２）。
個人認証情報が電子透かしデータの場合は、取込部１１内の電子透かしデータの読み出し回路で電子透かしデータが抽出される。また、個人認証情報が暗号化されてメタデータとして付加された場合は、取込部１１内のこれに対応したデコーダ回路でメタデータが抽出されて、暗号データの解読が行われる。
【００２７】
上記の判断の結果、撮影画像データに個人認証情報が付加されている場合（ステップＳ１２がＹｅｓ）、その個人認証情報は、取込部１１から設定部１２に出力される。また、撮影画像データは、取込部１１から処理部１４に出力される。
設定部１２は、図３のステップＳ１３で、その個人認証情報に基づいて登録部１３による登録内容を参照し、登録済みの個別ＩＤとの比較照合を行う。そして、処理対象の撮影画像データの個人認証情報が、登録済みの個別ＩＤと対応する個人認証情報と一致した場合（ステップＳ１４がＹｅｓ）、次のステップＳ１５に進む。
【００２８】
ステップＳ１５では、処理対象の撮影画像データの個人認証情報に対応する個別ＩＤに対応づけて登録されている独自パラメータが、登録部１３から読み出され、画像処理装置１０の処理部１４に自動的に設定される。また、ステップＳ１６では、必要に応じて、追加のパラメータなどを手動設定することもできる。
なお、処理対象の撮影画像データに個人認証情報が付加されていない場合（ステップＳ１２がＮｏ）や、登録済みの個別ＩＤに対応する個人認証情報と一致しなかった場合（ステップＳ１４がＮｏ）には、ステップＳ１５の自動設定が行われず、ステップＳ１６の手動設定のみとなる。
【００２９】
このようにして画像処理のパラメータの設定が終わると、画像処理装置１０の処理部１４では、設定されたパラメータにしたがって、処理対象の撮影画像データに対する画像処理（加工・レタッチ）を実行する（ステップＳ１７）。その結果、設定されたパラメータの組み合わせに応じて所望の画像処理を撮影画像データに施すことができる。
上記の通り、本実施形態の画像処理装置１０では、外部の撮像装置２０から撮影画像データと個人認証情報とを取り込み、撮影者を特定する個人認証情報に基づいて登録部１３に登録される画像処理の内容（独自パラメータを含む）を特定し、設定部１２により設定するため、そのパラメータ設定を撮影者の負荷なく自動的に行うことができる。その結果、撮影者の負荷なく好ましい画像を得ることができる。
【００３０】
また、撮像装置２０と画像処理装置１０との間で、パラメータ情報のやりとりを行わない構成とすれば、パラメータ情報を秘匿化することができる。もちろん、パラメータ情報を暗号化,電子透かし化することで、パラメータ情報を付加する構成とすれば、パラメータ情報を秘匿化することができる。
さらに、本実施形態の画像処理装置１０では、登録部１３に画像処理の独自パラメータを個別ＩＤと共に予め登録しておき、個人認証情報に対応する個別ＩＤを利用して、適切な独自パラメータを選択するため、画像処理装置側での設定処理が簡単化し、パラメータ自動設定を迅速に行うことができる。登録部１３に独自パラメータを登録する場合、その登録処理(図２)のステップＳ３において１回だけ煩雑な作業を行うことになるが、それ以降の煩雑な作業は不要となる。
【００３１】
したがって、画像処理装置１０のアプリケーションソフトを立ち上げたときでも、他の撮影者と交代してアプリケーションソフトを使用する場合でも、図３のステップＳ１１で処理対象の撮影画像データを選択するだけで、その撮影画像データに対して独自のパラメータに基づく適切な画像処理を施すことが可能となる。このため画像処理の際の作業性が格段に向上する。また効率の良い画像処理を行うことができる。
【００３２】
本実施形態の画像処理装置１０に取り込まれる撮影画像データが連写撮影によって生成されたものである場合、外部の撮像装置２０の処理部(２３〜２５)の負荷を軽減するために、処理部(２３〜２５)における処理項目を減らし、残りの処理項目を画像処理装置１０の処理部１４で行うこともできる。このような分散処理を行うことにより、撮像装置２０の連写速度の向上など、撮影能力が向上される。この場合でも、撮影画像データに付加された個人認証情報に基づいて撮影者の負荷なく画像処理の独自パラメータを設定することができる。
【００３３】
また、上述の連写撮影動作に限らずに、撮像装置２０内で、設定されたパラメータで画像処理を行って、撮像装置２０の出力する撮影画像データに、個人認証情報と、設定されたパラメータに関する情報、または撮像装置２０で行われた処理に関する情報とを、付帯情報として付加して、画像処理装置１０に出力する構成としてもよい。
画像処理装置１０では、個人認証情報などの識別情報に対応づけられて登録されている、画像処理装置１０内で行われる画像処理の内容、またはその独自パラメータを読み出して、付帯情報として付加されている撮像装置２０内で行われた処理に関する情報、またはパラメータ情報をもとに、登録部１３より読み出された画像処理内容、またはその独自パラメータを変更し、設定部１２で設定する。
【００３４】
例えば、撮像装置２０内で、撮影者の所望する階調特性の変換処理が既に成されている場合には、その旨が付帯情報として、撮影画像データに対して、個人認証情報とともに付加される。
この場合、画像処理装置１０は、個人認証情報などの識別情報をもとに登録部１３より読み出された画像処理内容のうち、階調特性の変換処理を除いた処理内容を設定部１２で設定し、処理部１４で、撮影画像データに対して、画像処理を行う。階調特性の変換処理を除いた処理内容の設定はパラメータによって行うものであってもよい。
【００３５】
例えば、階調特性の変換処理を除いた処理内容の設定とは、階調変換特性のパラメータを１に設定することによって行われる。階調変換特性のパラメータを１に設定することは、階調変換が、γ（ガンマ）＝１で成されることに相当する。すなわち、階調特性の変換処理は行われない。
また、例えば、撮影者の所望する輪郭強調特性が、第１の強調周波数を実現する第１のデジタルフィルタと、第１の強調周波数とは異なる第２の強調周波数を実現する第２のデジタルフィルタとの、フィルタ処理によって実現され、画像処理装置１０の登録部１３に、この輪郭強調特性を実現するための処理パラメータが、識別情報に対応づけられて登録されており、撮像装置２０内で、既に第１のデジタルフィルタによる輪郭強調処理が施された場合に、撮像装置２０は、撮影画像データに、個人認証情報と、既に撮像装置２０内で実行された処理の内容（第１のデジタルフィルタの輪郭強調処理に対応するパラメータ）に関する情報とを付帯情報として付加して、画像処理装置１０に出力する。
【００３６】
画像処理装置１０は、この場合、個人認証情報などの識別情報をもとにと登録部１３より読み出された画像処理内容のうち、第１のデジタルフィルタによる輪郭強調特性を除いた処理内容を設定部１２で設定し、処理部１４で、撮影画像データに対して、第２のデジタルフィルタによる輪郭強調処理を含んだ画像処理を行う。第１のデジタルフィルタによる輪郭強調処理を除いた処理内容の設定は、第１のデジタルフィルタによる輪郭強調処理の独自パラメータ（デジタルフィルタのマトリクス係数）を、例えば、図８(ａ)から図８(ｂ)のように変更することによって行われる。
【００３７】
すなわち、撮像装置２０と画像処理装置１０とで構成される画像処理システムを考えた場合、画像処理の内容（パラメータ）は、常に一定となる。このため、撮像装置２０で、撮影者の指示によって画像処理を行っても、画像処理装置１０の出力では、常に撮影者の所望する画像を得ることができる。
撮影者は、例えば連写撮影時の高速連写を実現したい場合など、撮像装置２０内で行われる画像処理内容を制限しても、画像処理装置１０の出力で、所望する画質の連写画像を得ることができる。
【００３８】
このように、撮像装置２０の出力する撮影画像データに付加された、撮像装置２０内で行われた画像処理内容を表す付帯情報をもとに、画像処理装置１０で、識別情報に対応づけられて登録されている画像処理の内容（独自の処理パラメータを含む）を変更することにより、撮像装置１０で設定された処理パラメータに応じて、撮像装置２０と画像処理装置１０とが連携して、フレキシブルな分散処理を行うことが可能となる。
【００３９】
また、撮像装置２０がデジタルカメラの場合で、撮像装置２０から本実施形態の画像処理装置１０に取り込まれる撮影画像データがＲＡＷデータである場合、画像処理装置１０では、ＲＡＷ現像ソフトというアプリケーションを用いて画像処理を行い、いわゆる画像の形態に変換する。ＲＡＷ現像ソフトを用いた画像処理には、より任意かつ高精度に撮影者の好みの画像にカスタマイズできるという利点がある。
【００４０】
しかし、そのために必要となるパラメータの数は非常に多いため、本実施形態の画像処理装置１０を用い、ＲＡＷデータに付加された個人認証情報に基づいて撮影者の負荷なく画像処理の独自パラメータを設定することが、特に有効である。ただし、独自パラメータに基づいて画像処理を行う前には、通常、ＲＡＷデータのメタデータを参照して初期画像を生成することが必要となる。ＲＡＷデータの場合には、初期画像生成のためのメタデータに個人認証情報を付加することで、画像処理の独自パラメータの対応付けが容易になる。
【００４１】
本実施形態の画像処理装置１０において画像処理が施された後の撮像画像データをプリンタなどの出力装置に出力する際、例えば、画像処理装置１０にインストールされた出力装置用のドライバを経由することになる。この場合、出力モードとして、デフォルト設定,鮮やか設定,カラーマネジメント設定など、画像処理の傾向の異なる複数通りが存在する。この場合でも、撮影者がカスタマイズした独自の出力パラメータと個人認証情報とを対応づけておけば、撮影者は自動的に自分用にカスタマイズしたパラメータを使用することができる。
【００４２】
なお、上記の実施形態では、撮像装置２０と画像処理装置１０との間での各種データのやりとりを記録媒体を用いて行う例について説明したが、有線あるいは無線での接続（例えばＬＡＮなどの通信回線）を介して、データのやりとりを行うものであってもよい。
（変形例）
なお、上記した実施形態では、撮影画像データに撮影者の個人認証情報（氏名や認証コードなど）を付加する例を説明したが、本発明はこれに限定されない。個人認証情報に代えて、センサ２６で取得した撮影者の生体情報（指紋など）をそのまま撮影画像データに付加してもよい。撮影者の生体情報と個人認証情報とは、総じて「撮影者の識別情報」に対応する。
【００４３】
生体情報（指紋など）をそのまま撮影画像データに付加する場合、上記の登録部２７とＣＰＵ２８（図４）を画像処理装置１０の側に設け、処理対象の撮影画像データに付加された生体情報に基づいて、個人認証を行うことが考えられる。そして、個人認証の結果を図１の設定部１２に出力し、登録部１３の個別ＩＤとの照合を行い、対応する独自パラメータを処理部１４に自動設定することになる。この場合、撮影画像データへの情報付加量は増加するが、撮像装置２０内の回路量が低減されると共に、照合動作が不要となり、撮像装置２０の動作の負荷が低減される。
【００４４】
また、撮影画像データに生体情報（指紋など）を付加する場合には、画像処理装置１０の側で個人認証を行う例に限らず、個人認証を省略してもよい。この場合、生体情報（指紋など）そのものと独自パラメータとを対応づけて登録しておき（登録部１３）、撮影画像データに付加された生体情報と予め登録された生体情報との照合を行い、対応する独自パラメータを処理部１４に自動設定することになる。
【００４５】
さらに、上記の生体情報や個人認証情報の他、撮影者の好みに関わる情報（例えば色の彩度や階調特性など）を、撮影者の識別情報として撮影画像データに付加してもよい。
また、上記した実施形態では、画像処理装置１０が汎用のコンピュータである例を説明したが、本発明はこれに限定されない。プリンタなどの出力装置に画像処理装置１０を組み込む場合にも本発明を適用できる。画像処理装置１０を備えた出力装置に撮影画像データを取り込む場合、図４の記録媒体９Ａを用いればよい。またはケーブルや無線によって取り込むこともできる。
【００４６】
この場合にも、撮影画像データに付加された撮影者の識別情報（個人認証情報など）に基づく独自の出力パラメータの設定が撮影者の負荷なく自動的に行われ、その独自パラメータにしたがって出力用の画像処理が施される。そして、画像処理後の撮影画像データが出力される。出力用の画像処理でも、撮影者の識別情報（個人認証情報など）をメタデータとして付加すると、独自パラメータの対応付けが容易になるため好ましい。
【００４７】
さらに、上記した実施形態では、アプリケーションソフトで予め撮影者の識別情報（個人認証情報など）と独自パラメータとを対応づけ、撮影画像データに付加された識別情報（個人認証情報など）に基づいてパラメータを設定する例を説明したが、本発明はこれに限定されない。アプリケーションソフトでの識別情報（個人認証情報など）と独自パラメータとの対応づけ（事前登録）を省略し、撮像装置２０とアプリケーションソフトとの連携を利用して、アプリケーションソフトで必要となる独自パラメータを撮像装置２０の側で登録し、これを撮影画像データに付加してもよい。この場合、アプリケーションソフトでは、撮影画像データに付加された独自パラメータに基づいて画像処理を行うことになる。
【００４８】
このため、撮影者が第三者に画像処理を委託したり、事前登録を行っていないアプリケーションソフトで画像処理を行ったりする場合でも、撮影者の意図した独自パラメータでの画像処理を行うことができる。撮像装置２０にアプリケーションソフト用のパラメータを登録するに当たっては、ケーブルなどで撮像装置２０と画像処理装置１０とを接続して、アプリケーションソフト側から登録作業を行えるようにすれば、効率がよい。
【００４９】
さらに、撮像装置２０の側で出力に関わる独自パラメータを登録しておき、撮影画像データに付加することにより、異なる個体の出力装置を用いた場合でも、意図した出力画像を得ることができる。
また、上記した実施形態では、撮像装置２０の処理部(２３〜２５)における信号処理のパラメータを、必要に応じて手動で設定する場合を例に説明したが、認証部(２６〜２８)における認証結果（撮影者の個人認証情報）を利用し、例えば後述する図６に示すフローチャートにしたがって自動設定することもできる。
【００５０】
そのためには、図４の構成に加えて、パラメータ登録部(回路)が必要となる。パラメータ登録部には、個人認証情報（氏名や認証コードなど）と、撮影者の独自の予め定めたパラメータ（撮影者が決まって使用する固定のパラメータなど）とが、対応付けて登録される。
ここで、パラメータ登録部に撮影者の独自パラメータを登録する手順（図７）について説明する。ステップＳ３１で独自パラメータの登録モードが選択されると（ステップＳ３１がＹｅｓの場合）、センサ２６から撮影者の生体情報を取得し（ステップＳ３２）、登録部２７に予め登録された生体情報との比較照合を行い（ステップＳ３３）、個人認証を行う。そして、登録部２７の中にセンサ２６からの生体情報と同等の生体情報が存在していた場合（ステップＳ３４がＹｅｓ）、次のステップＳ３５で独自パラメータの入力を受け付ける。その後、登録の指示に応じて、入力された独自パラメータと生体情報の個人認証情報（氏名や認証コードなど）とが対応づけられ、パラメータ登録部に登録される（ステップＳ３６）。ステップＳ３２〜Ｓ３４の処理を行うのは、登録者本人のみにパラメータ変更を許可するためである。
【００５１】
このような図７の登録処理が終わり、例えば撮像装置２０のシャッター釦３１に撮影者の指が接触すると（図６のステップＳ２１がＹｅｓ）、認証部(２６〜２８)のＣＰＵ２８は、センサ２６から撮影者の生体情報を取得し（ステップＳ２２）、登録部２７の生体情報との比較照合を行い（ステップＳ２３）、個人認証を行う。
そして、登録部２７の中に同等の生体情報が存在していた場合（ステップＳ２４がＹｅｓ）、次のステップＳ２５に進む。ステップＳ２５では、パラメータ登録部を参照し、個人認証情報に対応づけられている独自パラメータが読み出され、処理部(２３〜２５)に自動的に設定される。
【００５２】
また、登録部２７の中に同等の生体情報が存在しなかった場合（ステップＳ２４がＮｏ）には、ステップＳ２７に進む。ステップＳ２７では、手動によるパラメータ設定を行うか否かを判断し、行う場合(Ｙｅｓ)には図４(ｂ)に示す選択キー３４の操作に応じてパラメータを手動設定する。また、手動設定を行わない場合(Ｎｏ)には撮像装置２０の予め定めたデフォルトのパラメータを設定する。
【００５３】
このようにしてパラメータの設定が終わり、シャッター釦３１の押下操作により、撮像装置２０の処理部(２３〜２６)に撮像素子２２からアナログ撮像信号が取り込まれると、処理部(２３〜２６)では、設定されたパラメータにしたがって画像処理を実行する（ステップＳ２６）。その結果、設定されたパラメータの組み合わせに応じて所望の画像処理を施すことができ、撮影画像データが生成される。
【００５４】
図６の処理を行うことにより、撮像装置２０の処理部(２３〜２５)における信号処理のパラメータを、認証部(２６〜２８)における認証結果（撮影者の個人認証情報）を利用して、自動設定することができる。
図６の処理では、撮影者によって登録された独自パラメータを優先したが、手動によるパラメータ設定を優先してもよい。また、撮影者が自分の設定を他者に見られたくない場合や複数人で１つの撮像装置２０を共用する場合には、電源をＯＦＦする際に必ずデフォルト設定に戻すようにすればよい。さらに、パラメータ登録部が設定した独自パラメータをメタデータとして撮影画像データに付加して保存してもよい。
【００５５】
このように撮像装置２０と画像処理装置１０と出力装置の各々において、撮影者の識別情報（個人認証情報など）に基づく独自パラメータの自動設定を行うことで、撮影者は何ら意識することなく自分用にカスタマイズされたパラメータを用いて画像処理を施すことができ、所望の画像を得ることができる。
【図面の簡単な説明】
【００５６】
【図１】画像処理装置１０の構成を示すブロック図である。
【図２】画像処理装置１０における登録処理の手順を示すフローチャートである。
【図３】画像処理装置１０における画像処理の手順を示すフローチャートである。
【図４】撮像装置２０の構成を示すブロック図である。
【図５】撮像装置２０の外観図である。
【図６】撮像装置２０における撮影処理の手順を示すフローチャートである。
【図７】撮像装置２０における登録処置の手順を示すフローチャートである。
【図８】輪郭強調処理を実現するデジタルフィルタの説明図である。
【符号の説明】
【００５７】
１０  画像処理装置
１１  取込部
１２  設定部
１３，２７  登録部
１４  処理部
２０  撮像装置
２１  撮影レンズ
２２  撮像素子
２３  アナログ処理部
２４  Ａ/Ｄ変換器
２５  デジタル処理部
２６  センサ
２８  ＣＰＵ
２９  記録制御部
９Ａ，１５  記録媒体
３１  シャッター釦
３２  ファインダ
３３  液晶表示部
３４  選択キー
３５  マイク
３６  グリップ部                                                                               
【図１】
2006262155.tif 000003
【図２】
2006262155.tif 000004
【図３】
2006262155.tif 000005
【図４】
2006262155.tif 000006
【図５】
2006262155.tif 000007
【図６】
2006262155.tif 000008
【図７】
2006262155.tif 000009
【図８】
2006262155.tif 000010